(57)【要約】【課題】  搬送方向下手側に搬送されて残された処理物を、拡散胴の長手方向中央側に向けて移動させながら、処理物を充分に叩きほぐすことが可能な脱穀装置を提供する点にある。【解決手段】  脱穀部Ａからの処理物を搬送方向下手側に向けて搬送しながら、選別部Ｂで処理物の選別処理と、回収部Ｃで選別された処理物の回収処理が実施され、搬送方向下手側に搬送されて残された処理物に対して拡散胴６が設けられ、この拡散胴６の長手方向一端側に、処理物の搬送方向に対して回転位相が遅れる側ほど長手方向中央に向けて傾斜する拡散体６Ａが設けられている。【選択図】        図２
2006262867.tif 000002
【特許請求の範囲】
【請求項１】
脱穀処理を施す脱穀部からの処理物を搬送方向下手側に向けて搬送しながら、選別部で処理物の選別処理と、回収部で選別された処理物の回収処理が実施されるとともに、搬送方向下手側に搬送されて残された処理物に対して、搬送方向に直交して配置され、且つ、長手方向と周方向に沿って設けられた拡散体を回転によって叩きつけて処理物をほぐす拡散胴が設けられている脱穀装置であって、
前記拡散胴の長手方向一端側に、処理物の搬送方向に対して回転位相が遅れる側ほど長手方向中央に向けて傾斜する拡散体が設けられている脱穀装置。
【請求項２】
前記拡散胴の長手方向他端側に、処理物の搬送方向に対して回転位相が遅れる側ほど長手方向中央に向けて傾斜する拡散体が設けられている請求項１記載の脱穀装置。
【発明の詳細な説明】
【技術分野】
【０００１】
本発明は、脱穀装置に関し、詳しくは、拡散胴の長手方向一端側に、処理物の搬送方向に対して回転位相が遅れる側ほど長手方向中央に向けて傾斜する拡散体が設けられている脱穀装置に関する。
【背景技術】
【０００２】
従来から、脱穀処理を施す脱穀部からの処理物を搬送方向下手側に向けて搬送しながら、選別部で処理物の選別処理と、回収部で選別された処理物の回収処理が実施されるとともに、搬送方向下手側に搬送されて残された処理物に対して、搬送方向に直交して配置され、且つ、長手方向と周方向に沿って設けられた拡散体を回転によって叩きつけて処理物をほぐす拡散胴が設けられている脱穀装置が存在している。
この種の脱穀装置の拡散胴には、複数の拡散体が、処理物の搬送方向に直交する方向及び処理物の搬送方向に沿う周方向に沿って設けられている（例えば、特許文献１参照）。
【０００３】
【特許文献１】特開平１０−１１７５７５号公報（第４頁、図１）
【発明の開示】
【発明が解決しようとする課題】
【０００４】
ところが、脱穀装置においては、脱穀処理された処理物が搬送方向と直交する一端部又は両端部に、偏り気味に搬送される傾向があり、その偏りの度合いが大きい場合、偏り部分の搬送物を拡散胴によって充分に叩きほぐすことができない問題がある。
【０００５】
本発明は、上述の実状に鑑みて為されたものであって、その主たる課題は、搬送方向下手側に搬送されて残された処理物を、拡散胴の長手方向中央側に向けて移動させながら、処理物を充分に叩きほぐすことが可能な脱穀装置を提供する点にある。
【課題を解決するための手段】
【０００６】
［Ｉ］
(構成)
本発明の請求項１による脱穀装置の特徴構成は、脱穀処理を施す脱穀部からの処理物を搬送方向下手側に向けて搬送しながら、選別部で処理物の選別処理と、回収部で選別された処理物の回収処理が実施されるとともに、搬送方向下手側に搬送されて残された処理物に対して、搬送方向に直交して配置され、且つ、長手方向と周方向に沿って設けられた拡散体を回転によって叩きつけて処理物をほぐす拡散胴が設けられている構成において、前記拡散胴の長手方向一端側に、処理物の搬送方向に対して回転位相が遅れる側ほど長手方向中央に向けて傾斜する拡散体が設けられている点にある。
【０００７】
(作用)
上記特徴構成によれば、選別部における搬送方向に直交する一端側に処理物が偏った状態で搬送された状態においても、搬送方向下手側に搬送されて残された処理物に対して、傾斜した拡散胴の回転が進むに伴って拡散体によって処理物を長手方向中央側に向けて順次に移動させることができるので、搬送方向と直交する一端側における処理物の偏り度合いが大きい場合であっても、処理物の偏りを解消しながら、処理物を叩きほぐすことが可能となる。
【０００８】
(発明の効果)
そのため、搬送方向下手側に搬送されて残された処理物の全体を、均等に叩きほぐすことが可能となり、処理物の処理品質の向上を図ることができる。
【０００９】
［ＩＩ］
(構成)
本発明の請求項２による脱穀装置の特徴構成は、前記拡散胴の長手方向他端側に、処理物の搬送方向に対して回転位相が遅れる側ほど長手方向中央に向けて傾斜する拡散体が設けられている点にある。
【００１０】
(作用)
選別部における搬送方向に直交する一端側に加えて他端側にも処理物が偏った状態で搬送された状態においても、搬送方向下手側に搬送されて残された処理物に対して、傾斜した拡散胴の回転が進むに伴って拡散体によって処理物を長手方向中央側に向けて順次に移動させることができるので、搬送方向と直交する一端側に加えて他端側における処理物の偏り度合いが大きい場合であっても、それらの処理物の偏りを解消しながら、処理物を叩きほぐすことが可能となる。
【００１１】
(発明の効果)
そのため、搬送方向下手側に搬送されて残された処理物の全体を、均等に叩きほぐすことが可能となり、処理物の処理品質の向上を図ることができる。
【発明を実施するための最良の形態】
【００１２】
［第１実施形態］
以下、本発明の実施形態を図面に基づいて説明する。
図１に、コンバインの脱穀装置を示しており、Ａは脱穀部、Ｂは選別部、Ｃは回収部であり、脱穀部Ａからの処理物を搬送方向下手側に向けて搬送しながら、選別部Ｂで処理物の選別処理と、回収部Ｃで選別された処理物の回収処理が実施される構成になっている。
【００１３】
脱穀部Ａは、扱胴１、扱室２、受網３、フィードチェーン４等から構成され、図３に示すように、フィードチェーン４で株元挟持状態の穀稈の穂先箇所を扱室２内に臨ませて、回転駆動する扱胴１の扱歯１Ｃ，１Ｄにより扱き処理されることで脱粒処理され、単流化された処理物を受網３から漏下した処理物は、選別部Ｂの前部側に落下供給され、一方、受網３から漏下できなかった枝付き籾やワラ屑などの処理物は扱室２終端の送塵口５から選別部Ｂの後部側に落下供給される。
【００１４】
また、送塵口５から選別部Ｂ上に搬出された処理物の搬送方向下手側には、搬送されて残された処理物に対して拡散作用を与えるための拡散胴６が配置され、この拡散胴６の下手側には、小さなワラ屑や塵を機外へ吸引排出するための排塵ファン７が配置されている。
【００１５】
選別部Ｂは、揺動選別装置８、及び風選別用の唐箕９から構成されている。この実施形態においては、送塵口５から搬出された処理物は、図１、図２に示すように、主に、送塵口５の直下に配置された、揺動選別装置８の後部グレンパン８ａ上に排出される。
【００１６】
回収部Ｃは、揺動選別装置８による揺動作用及び唐箕９からの選別風により、充分に選別され単粒化した穀粒が１番回収部１０に回収され、選別不充分なワラ屑等に混ざった穀粒が２番回収部１１に回収されて、還元装置１２によって揺動選別装置８の前部に戻される構成になっている。
【００１７】
前記拡散胴６は、図１、図２に示すように、搬送方向下手側に搬送されて残された処理物に対して、搬送方向に直交して配置され、且つ、長手方向と周方向に沿って、例えば、１２０°角度毎に拡散体６Ａ，６Ｂを設けて構成され、回転によって処理物を叩きつけてほぐすことが可能になっている。
【００１８】
拡散胴６の長手方向一端側には、処理物の搬送方向に対して回転位相が遅れる側ほど長手方向中央に向けて傾斜する板体からなる拡散体６Ａが設けられ、その他の部分には、処理物の搬送方向に沿う拡散板６Ｂが設けられている。両拡散体は、拡径方向に向うほど、板幅が減少する三角形状のものが採用されている。
【００１９】
前記扱胴１は、図１に示すように、扱室２に前後向き軸芯Ｐ周りで回転駆動自在に架設され、受網３上に対応位置する円筒状の大径部１Ａに、送塵口５上に対応位置し大径部１Ａより小径な円筒状の小径部１Ｂを連続形成してあり、大径部１Ａ及び小径部１Ｂの、扱胴長手方向及び扱胴周方向に複数の扱歯１Ｃ，１Ｄを付設してある。
【００２０】
前記小径部１Ｂの扱歯１Ｄは、大径部１Ａの扱歯１Ｃに比べて、背の高いものが用いられており、全扱歯１Ｃ，１Ｄの先端回動半径が略同一となるように構成されている。
【００２１】
また、扱歯１Ｃ，１Ｄは、一本の棒鋼を折り曲げ両端部を扱胴１に植設されている。
大径部１Ａの扱歯１Ｃには、折り曲げ頂き部ｈを中心に屈曲姿勢の前後端部ｈ１，ｈ２が対称形状となる一般的な形状のものが採用されているが、小径部１Ｂの扱歯１Ｄには、図３に示すように、折り曲げ頂き部ｈを中心に前端部ｈ３を後倒れの傾斜姿勢に形成し、後端部ｈ４を屈曲姿勢に形成して、折り曲げ頂き部ｈを中心に両端部ｈ１，ｈ２が非対称となるものが採用されて、傾斜姿勢の前端部ｈ３によって摩擦ワラ等の余計な穀稈のからみ付きを防止し、小径部１Ｂでの藁発生を抑制することができる構成になっている。
【００２２】
前記脱穀部Ａには、扱室２の側面に、脱穀フィードチェーン４に挟持された穀稈の移動を許す側面開口２Ａが設けてあり、この側面開口２Ａより内側下向きに穀稈の穂先側を受網３上に案内しながら脱穀フィードチェーン４とともに移動する穀稈を案内する傾斜状の下唇板１３を設けてある。
【００２３】
扱胴１の小径部１Ｂに対応位置する下唇板１３の後方部分１３Ａには、図３〜図５に示すように、複数の弓金１４が小径部１Ｂの隣り合う扱歯１Ｄ間に対応して皿止めネジｂを用いて取付けられている。
【００２４】
これら弓金１４は、下唇板１３に対して扱歯１Ｄの回転方向に沿う縦向きに設けられ、各弓金１４の上部部分には、図５に示すように、下方に向うほど、突出長さが順次に長くなる先端鋭角状の複数の鉤爪１４Ａが、フィードチェーン４による穀稈の挟持搬送方向とは反対方向に先端部を突出する状態に形成されており、フィードチェーン４によって挟持搬送される穀稈の穂先を鉤爪１４Ａで引掛けながら、小径部１Ｂの扱歯１Ｄのよる扱き作用を付与することができる構成になっており、株元側の扱き残しの解消を図ることができる。
【００２５】
このような構成であれば、選別部Ｂにおける搬送方向に直交する一端側に処理物が偏った状態で搬送された状態においても、搬送方向下手側に搬送されて残された処理物に対して、拡散胴６の傾斜する拡散体６Ａによって処理物を叩きつけながら、処理物を長手方向中央側に向けて順次に移動させることができるので、搬送方向と直交する一端側における処理物の偏り度合いが大きい場合であっても、回転によって順次に叩きつける拡散体６Ａ，６Ｂによって処理物の偏りを解消しながら、枝付き籾やワラ屑などの処理物を叩きほぐすことが可能となる。
そのため、搬送方向下手側に搬送されて残された処理物の全体を、均等に叩きほぐすことが可能となる。
【００２６】
［第２実施形態］
この実施形態は上記第１実施形態と異なる点を説明し、同様構成部分には同符号を付してその説明は省略する。
【００２７】
この実施形態の脱穀装置は、図６に示すように、拡散胴６の長手方向一端側に、処理物の搬送方向に対して回転位相が遅れる側ほど長手方向中央に向けて傾斜する拡散体６Ａが設けられていることに加えて、拡散胴６の長手方向他端側に、処理物の搬送方向に対して回転位相が遅れる側ほど長手方向中央に向けて傾斜する拡散体６Ｃが設けられ、その他の部分には、処理物の搬送方向に沿う拡散板６Ｂが設けられて構成されている。
【００２８】
このように構成であれば、選別部Ｂにおける搬送方向に直交する一端側に加えて他端側にも処理物が偏った状態で搬送された状態においても、搬送方向下手側に搬送されて残された処理物に対して、傾斜した拡散胴６の回転が進むに伴って両端部の拡散体６Ａ，６Ｃによって処理物を長手方向中央側に向けて移動させることができるので、搬送方向と直交する一端側に加えて他端側における処理物の偏り度合いが大きい場合であっても、回転によって順次に叩きつける拡散体６Ａ，６Ｂ，６Ｃによって処理物の偏りを解消しながら、枝付き籾やワラ屑などの処理物を叩きほぐすことが可能となる。
それらの処理物の偏りを解消しながら、処理物を叩きほぐすことが可能となる。
そのため、搬送方向下手側に搬送されて残された処理物の全体を、均等に叩きほぐすことが可能となる。
【００２９】
〔その他の実施形態〕
（１）上記実施形態の拡散体６は板体から形成されているものについて説明したが、これに限らず、棒鋼を折り曲げ形成したものなどであってもよい。
【００３０】
（２）  上記実施形態では自脱型コンバインの脱穀装置に本発明を適用した例を説明したが、本発明はこれに限らず、全稈投入型コンバインやハーベスター等の脱穀装置に本発明を適用してもよい。
【図面の簡単な説明】
【００３１】
【図１】脱穀装置を模式的に示す縦断側面図
【図２】第１実施形態の拡散胴と処理物との関係を要部のみ示す平面図
【図３】脱穀装置の縦断面図
【図４】弓金と扱歯とフィードチェーンの要部のみを示す平面図
【図５】弓金の取付け構成を示す斜視図
【図６】第２実施形態の拡散胴と処理物との関係を要部のみ示す平面図
【符号の説明】
【００３２】
Ａ                脱穀部
Ｂ                選別部
Ｃ                回収部
６                拡散胴
６Ａ              拡散体
６Ｂ              拡散体
６Ｃ              拡散体
【図１】
2006262867.tif 000003
【図２】
2006262867.tif 000004
【図３】
2006262867.tif 000005
【図４】
2006262867.tif 000006
【図５】
2006262867.tif 000007
【図６】
2006262867.tif 000008